(57)【要約】  本発明は、導電性である第１部品（１０）への機械的および電気的接続のための第１接続要素に接続された可撓性ロッド（２２）と、第２部品（１１）の導電性表面に押圧される接触部分（１２）と、可撓性ロッド（２２）の第１端部と第１部品（１０）との間に第１端部が載置される少なくとも一つの金属接触ブレードとを備え、可撓性ロッド（２２）が導電性であり、第２機械的電気的接続要素（２４）を用いて少なくとも一つの金属ブレード（２１）が可撓性ロッド（２２）の第２端部に第２端部で接続される、第１部品（１０）と第２部品（１１）の導電性表面（２６）との間の高い公称電流のための接触フィンガタイプの電気接触器具に関する。【選択図】図２
2015536022.tif 000002
【特許請求の範囲】
【請求項１】
導電性である第１部品（１０）と第２部品（１１）の導電性表面（２６）との間の高い公称電流のための接触フィンガタイプの電気接触器具であって、前記第１部品（１０）への機械的および電気的接続のための第１接続要素に接続される可撓性ロッド（２２）と、前記第２部品（１１）の前記導電性表面に押圧される接触部分（１２）と、前記可撓性ロッド（２２）の第１端部と前記第１部品（１０）との間に第１端部が載置される少なくとも一つの金属接触ブレードとを備える器具であり、前記可撓性ロッド（２２）が導電性であることと、第２機械的電気的接続要素（２４）を用いて前記少なくとも一つの金属ブレード（２１）が第２端部で前記可撓性ロッド（２２）の前記第２端部に接続されることを特徴とする器具。
【請求項２】
前記第１接続要素（１６）がネジまたはリベットを備える、請求項１に記載の器具。
【請求項３】
前記第２接続要素（２４）がリベットを備える、請求項１に記載の器具。
【請求項４】
接触パッド（５０）の突出部分をかしめて変形させることにより前記第２接続要素（２４）が製造される、請求項１に記載の器具。
【請求項５】
前記第１接続要素（１６）がネジ締結により前記第１部品（１０）に接続される、請求項３または請求項４に記載の器具。
【請求項６】
前記可撓性ロッド（２２）と前記接触部分（２３）とが単一の部材を形成する、請求項１に記載の器具。
【請求項７】
前記可撓性ロッドと前記接触部分とが銅、アルミニウム、または以上の合金で製造される、請求項１に記載の器具。
【発明の詳細な説明】
【技術分野】
【０００１】
本発明は、高い公称電流のための接触フィンガタイプの電気接触器具に関する。
【背景技術】
【０００２】
第１部品１０と第２部品１１との間の接触フィンガタイプの電気接点の実施形態についての第一の公知例が、図１に示されている。電気接点は、接触ゾーン１３にわたって第２部品１１の導電性表面に押圧される接触パッド１２と、金属ブレード１４と、可撓性ロッド１５とで構成される。第１部品１０への機械的および電気的な接続のための接続要素１６に接続されるこのブレードは、接触パッド１２と要素１６との間に電流を通過させる。可撓性ロッド１５はバネ機能を実施し、電流を通さずに接触力を付与することを可能にする。
【０００３】
接触フィンガタイプの電気接点の実施形態についての第二の公知例は一部材の接点であり、電気接点を用意すること、電気を通すこと、そしてバネとして作用することという上述の三つの機能が、例えば機械加工により、またはダイスタンプ法により得られる単一の要素において組み合わされる。
【０００４】
この第二の例は経済的な実施形態となる。しかし、通電機能とバネ機能とが一緒に組み込まれるために、難題が残る。通電機能は、温度上昇を制限するのに適した導電特性を有する材料、一般的には銅、アルミニウム、または以上の合金の選択を必要とするだろう。しかし、特に応力および合成力のため、とりわけ材料が超えてはならない最大応力のため、バネ機能を付与するのにこのような材料を使用することは接点寸法に関するかなりの制限を招く。その結果、所与のサイズについて、この第二の例では、許容可能な公称電流に限界値が見られる。
【発明の概要】
【発明が解決しようとする課題】
【０００５】
本発明は、所与のサイズでの公称電流を増加させるために、このような一部材の接点、またはこのような一部材の接点に設計上近い接点を改変することを目的とする。
【課題を解決するための手段】
【０００６】
本発明は、導電性である第１部品と第２部品の導電性表面との間での高い公称電流のための接触フィンガタイプの電気接触器具を提供し、この器具は、第１部品への機械的および電気的な接続のための第１接続要素に接続される可撓性ロッドと、第２部品の導電性表面に押圧される接触部分と、可撓性ロッドの第１端部と第１部品との間に第１端部が載置される少なくとも一つの金属接触ブレードとを備え、この器具は、可撓性ロッドが導電性であることと、第２機械的電気的接続要素を用いて少なくとも一つの金属ブレードが可撓性ロッドの第２端部に第２端部で接続されることとを特徴とする。第１接続要素はネジまたはリベットを備えうる。第２接続要素はリベットを備えうる。第２接続要素は、接触パッドの突出部分をかしめて変形させることにより製造されうる。第１接続要素は、ネジ締結により第１部品に接続されうる。第一実施形態では、可撓性ロッドと接触部分とが単一部材を形成する。可撓性ロッドと接触部分とが銅、アルミニウム、または以上の合金で製造されると有利である。
【０００７】
本発明の器具は、所与のサイズについて公称電流を増加させることを可能にする。
【図面の簡単な説明】
【０００８】
【図１】先行技術の接触器具の例を示す。
【図２】本発明の器具の二つの実施形態を示す。
【図３】本発明の器具の二つの実施形態を示す。
【図４】図２および３に示されたものなどの本発明の器具の特徴を示す。
【図５】図２および３に示されたものなどの本発明の器具の特徴を示す。
【図６】図２および３に示されたものなどの本発明の器具の特徴を示す。
【発明を実施するための形態】
【０００９】
図２および３に示された本発明の器具では、電気のメイン導体である導電性かつ可撓性で長尺の接触要素２０は、バネ機能と接触パッド機能とを実施する。これは、図２に示されているように単一部材として、または図３に示されているように二部材として製造されうる。少なくとも一つの金属ブレード２１は、通すことのできる公称電流を最大化する所与のサイズの単純構造のフィンガを得るような手法で、通電用の追加区分を提供する。
【００１０】
接触要素２０は、単一部材の部品を形成しうるか二つの別々の部材を形成しうるロッドの形の第１部分２２と接触パッドの形の第２部分２３とを備える。少なくとも一つのブレード２１の第１端部は、第１部品１０と、それ自体は接続要素１６を介して第１部品１０に接続される導電性部品２０の第１部分の第１端部との間に配置される。少なくとも一つのブレード２１の第２端部は、機械的電気的接続要素２４により接触要素２０の第１部分２２の第２端部に接続される。
【００１１】
少なくとも一つの接触ブレードは、接触力を上昇させずに公称電流を増加させることを可能にする。
【００１２】
参照符号２５は、接触要素２０の第２部分２３と第２部品１１の導電性表面２６との間の接触ゾーンを表す。
【００１３】
図４乃至６は、第１および第２接続要素１６，２４の実施例を示す。
【００１４】
１．図４に示されている第１接続要素１６
この第１接続要素１６は、接触要素２０と接触ブレード２１とを第１部品１０に接続するネジまたはリベット３０を利用して製造されうる。こうして単一の連結手段により、三つの要素、つまり第１部品１０と金属ブレード２１と接触要素２０とが一緒に結合されうる。
【００１５】
クランプ力が相当なものである時には、導電性材料への圧縮応力を制限するため、および／または良好な通電表面を設けるため、ネジまたはリベットヘッドの下に載置される力分散ワッシャ３１が使用されうる。
【００１６】
２．図５および６に示されている第２接続要素２４
単数または複数のブレード２１と接触要素２０との間の第２接続点は、図５に示されているようにリベット４０により、または図６に示されているようにブレード２１と接触要素２０とに挿入される接触パッド５０の突出部分をかしめて変形させることにより設けられうる。別の有効な解決法は、上で検討された二つの変形例のネジ締結を使用する。いずれにしても、第１部品との第１接続要素に関する第２の点と同じ規則が当てはまる。
【００１７】
有利な実施形態例において、接触要素２０は、３センチメートル（ｃｍ）から１５ｃｍの範囲にある長さと、３ミリメートル（ｍｍ）から２０ｍｍの範囲にある第１部分２２の厚さとを有しうる。各金属ブレードは、０．１ｍｍから１ｍｍの範囲にある厚さを有しうる。接触要素２０とブレードとは、銅、アルミニウム、または以上の合金で製造されうる。
【符号の説明】
【００１８】
１０  第１部品
１１  第２部品
１６  第１接続要素
２０  接触要素
２１  金属ブレード
２２  可撓性ロッド第１部分
２３  可撓性ロッド第２部分
２４  第２接続要素
２５  接触ゾーン
２６  導電性表面
３０  ネジまたはリベット
３１  力分散ワッシャ
４０  リベット
５０  接触パッド
【図１】
2015536022.tif 000003
【図２】
2015536022.tif 000004
【図３】
2015536022.tif 000005
【図４】
2015536022.tif 000006
【図５】
2015536022.tif 000007
【図６】
2015536022.tif 000008
【手続補正書】
【提出日】平成27年4月9日(2015.4.9)
【手続補正１】
【補正対象書類名】特許請求の範囲
【補正対象項目名】全文
【補正方法】変更
【補正の内容】
【特許請求の範囲】
【請求項１】
導電性である第１部品（１０）と第２部品（１１）の導電性表面（２６）との間の高い公称電流のための接触フィンガタイプの電気接触器具であって、前記第１部品（１０）への機械的および電気的接続のための第１接続要素に接続される可撓性ロッド（２２）と、前記第２部品（１１）の前記導電性表面に押圧される接触部分（１２）と、前記可撓性ロッド（２２）の第１端部と前記第１部品（１０）との間に第１端部が載置される少なくとも一つの金属接触ブレードとを備える器具であり、前記可撓性ロッド（２２）が導電性であることと、高い公称電流を通すための追加区分を形成するように、第２機械的電気的接続要素（２４）を用いて前記少なくとも一つの金属ブレード（２１）が第２端部で前記可撓性ロッド（２２）の前記第２端部に接続されることと、前記可撓性ロッド（２２）と前記接触部分（２３）とが単一の部材を形成することとを特徴とする器具。
【請求項２】
前記第１接続要素（１６）がネジまたはリベットを備える、請求項１に記載の器具。
【請求項３】
前記第２接続要素（２４）がリベットを備える、請求項１に記載の器具。
【請求項４】
接触パッド（５０）の突出部分をかしめて変形させることにより前記第２接続要素（２４）が製造される、請求項１に記載の器具。
【請求項５】
前記第１接続要素（１６）がネジ締結により前記第１部品（１０）に接続される、請求項３または請求項４に記載の器具。
【請求項６】
前記可撓性ロッドと前記接触部分とが銅、アルミニウム、または以上の合金で製造される、請求項１に記載の器具。
【手続補正２】
【補正対象書類名】明細書
【補正対象項目名】全文
【補正方法】変更
【補正の内容】
【発明の詳細な説明】
【技術分野】
【０００１】
本発明は、高い公称電流のための接触フィンガタイプの電気接触器具に関する。
【背景技術】
【０００２】
第１部品１０と第２部品１１との間の接触フィンガタイプの電気接点の実施形態についての第一の公知例が、図１に示されている。電気接点は、接触ゾーン１３にわたって第２部品１１の導電性表面に押圧される接触パッド１２と、金属ブレード１４と、可撓性ロッド１５とで構成される。第１部品１０への機械的および電気的な接続のための接続要素１６に接続されるこのブレードは、接触パッド１２と要素１６との間に電流を通過させる。可撓性ロッド１５はバネ機能を実施し、電流を通さずに接触力を付与することを可能にする。
【０００３】
接触フィンガタイプの電気接点の実施形態についての第二の公知例は一部材の接点であり、電気接点を用意すること、電気を通すこと、そしてバネとして作用することという上述の三つの機能が、例えば機械加工により、またはダイスタンプ法により得られる単一の要素において組み合わされる。
【０００４】
この第二の例は経済的な実施形態となる。しかし、通電機能とバネ機能とが一緒に組み込まれるために、難題が残る。通電機能は、温度上昇を制限するのに適した導電特性を有する材料、一般的には銅、アルミニウム、または以上の合金の選択を必要とするだろう。しかし、特に応力および合成力のため、とりわけ材料が超えてはならない最大応力のため、バネ機能を付与するのにこのような材料を使用することは接点寸法に関するかなりの制限を招く。その結果、所与のサイズについて、この第二の例では、許容可能な公称電流に限界値が見られる。
【０００５】
以下では、二件の先行技術が分析される。
【０００６】
特許文献１は、一端部に着脱可能に固定された接触端であって、旋回移動のため他端部が屈曲しているかフック状である接触端と、付勢バネとを有する可動接触アームを包含する接触フィンガを開示している。
【０００７】
特許文献２は、カバーが閉じられた時にボックスの対応接点と係合する接点をカバーに有するとともに、交換可能なヒューズを収容するためのカバー上の手段を有するタイプの電気ボックスを開示している。
【先行技術文献】
【特許文献】
【０００８】
【特許文献１】米国特許第１，７７６，１３８号明細書
【特許文献２】米国特許第２，６３６，９５５号明細書
【発明の概要】
【発明が解決しようとする課題】
【０００９】
本発明は、所与のサイズでの公称電流を増加させるために、このような一部材の接点、またはこのような一部材の接点に設計上近い接点を改変することを目的とする。
【課題を解決するための手段】
【００１０】
本発明は、導電性である第１部品と第２部品の導電性表面との間での高い公称電流のための接触フィンガタイプの電気接触器具を提供し、この器具は、第１部品への機械的および電気的な接続のための第１接続要素に接続される可撓性ロッドと、第２部品の導電性表面に押圧される接触部分と、可撓性ロッドの第１端部と第１部品との間に第１端部が載置される少なくとも一つの金属接触ブレードとを備え、この器具は、可撓性ロッドが導電性であることと、第２機械的電気的接続要素を用いて少なくとも一つの金属ブレードが可撓性ロッドの第２端部に第２端部で接続されることとを特徴とする。第１接続要素はネジまたはリベットを備えうる。第２接続要素はリベットを備えうる。第２接続要素は、接触パッドの突出部分をかしめて変形させることにより製造されうる。第１接続要素は、ネジ締結により第１部品に接続されうる。第一実施形態では、可撓性ロッドと接触部分とが単一部材を形成する。可撓性ロッドと接触部分とが銅、アルミニウム、または以上の合金で製造されると有利である。
【００１１】
本発明の器具は、所与のサイズについて公称電流を増加させることを可能にする。
【図面の簡単な説明】
【００１２】
【図１】先行技術の接触器具の例を示す。
【図２】本発明の器具の二つの実施形態を示す。
【図３】本発明の器具の二つの実施形態を示す。
【図４】図２および３に示されたものなどの本発明の器具の特徴を示す。
【図５】図２および３に示されたものなどの本発明の器具の特徴を示す。
【図６】図２および３に示されたものなどの本発明の器具の特徴を示す。
【発明を実施するための形態】
【００１３】
図２および３に示された本発明の器具では、電気のメイン導体である導電性かつ可撓性で長尺の接触要素２０は、バネ機能と接触パッド機能とを実施する。これは、図２に示されているように単一部材として、または図３に示されているように二部材として製造されうる。少なくとも一つの金属ブレード２１は、通すことのできる公称電流を最大化する所与のサイズの単純構造のフィンガを得るような手法で、通電用の追加区分を提供する。
【００１４】
接触要素２０は、単一部材の部品を形成しうるか二つの別々の部材を形成しうるロッドの形の第１部分２２と接触パッドの形の第２部分２３とを備える。少なくとも一つのブレード２１の第１端部は、第１部品１０と、それ自体は接続要素１６を介して第１部品１０に接続される導電性部品２０の第１部分の第１端部との間に配置される。少なくとも一つのブレード２１の第２端部は、機械的電気的接続要素２４により接触要素２０の第１部分２２の第２端部に接続される。
【００１５】
少なくとも一つの接触ブレードは、接触力を上昇させずに公称電流を増加させることを可能にする。
【００１６】
参照符号２５は、接触要素２０の第２部分２３と第２部品１１の導電性表面２６との間の接触ゾーンを表す。
【００１７】
図４乃至６は、第１および第２接続要素１６，２４の実施例を示す。
【００１８】
１．図４に示されている第１接続要素１６
この第１接続要素１６は、接触要素２０と接触ブレード２１とを第１部品１０に接続するネジまたはリベット３０を利用して製造されうる。こうして単一の連結手段により、三つの要素、つまり第１部品１０と金属ブレード２１と接触要素２０とが一緒に結合されうる。
【００１９】
クランプ力が相当なものである時には、導電性材料への圧縮応力を制限するため、および／または良好な通電表面を設けるため、ネジまたはリベットヘッドの下に載置される力分散ワッシャ３１が使用されうる。
【００２０】
２．図５および６に示されている第２接続要素２４
単数または複数のブレード２１と接触要素２０との間の第２接続点は、図５に示されているようにリベット４０により、または図６に示されているようにブレード２１と接触要素２０とに挿入される接触パッド５０の突出部分をかしめて変形させることにより設けられうる。別の有効な解決法は、上で検討された二つの変形例のネジ締結を使用する。いずれにしても、第１部品との第１接続要素に関する第２の点と同じ規則が当てはまる。
【００２１】
有利な実施形態例において、接触要素２０は、３センチメートル（ｃｍ）から１５ｃｍの範囲にある長さと、３ミリメートル（ｍｍ）から２０ｍｍの範囲にある第１部分２２の厚さとを有しうる。各金属ブレードは、０．１ｍｍから１ｍｍの範囲にある厚さを有しうる。接触要素２０とブレードとは、銅、アルミニウム、または以上の合金で製造されうる。
【符号の説明】
【００２２】
１０  第１部品
１１  第２部品
１６  第１接続要素
２０  接触要素
２１  金属ブレード
２２  可撓性ロッド第１部分
２３  可撓性ロッド第２部分
２４  第２接続要素
２５  接触ゾーン
２６  導電性表面
３０  ネジまたはリベット
３１  力分散ワッシャ
４０  リベット
５０  接触パッド
【国際調査報告】
2015536022.tif 000009
2015536022.tif 000010
2015536022.tif 000011
2015536022.tif 000012